(57)【要約】【課題】シールリングの摩耗を少なくすると共に、鏡筒の回転操作性を良好にすることができる電子機器を提供する。【解決手段】本考案の電子機器は、電子機器本体２に、マウント４により機器本体との間が密封される鏡筒が回転可能に取付けられている。マウントは機器本体と鏡筒と、の間を密封するもので、一端部４ａにおいて機器本体に回転可能に取付けられる環状本体４０を有し、環状本体の外周面にフランジ４２が突出形成され、フランジの鏡筒側の面４２１に第１のシールリング４３が気密に設けられ、フランジの機器本体側の面４２２に第２のシールリング４４が気密に設けられ、第２のシールリングの機器本体側に、半円形断面を有するリング状凸部４４２が形成され、リング状凸部の先端部が機器本体と接触するようになっている。【選択図】図２
0003119591.tif 000002
【実用新案登録請求の範囲】
【請求項１】
電子機器の機器本体と、前記機器本体に装着される鏡筒と、の間を密封するためのマウントであって、
一端部において前記電子機器本体に回転可能に取付けられる環状本体を有し、
前記環状本体の外周面にフランジが突出形成され、
前記フランジの前記鏡筒側の面に第１のシールリングが気密に設けられ、前記フランジの前記電子機器本体側の面に第２のシールリングが気密に設けられ、
前記第２のシールリングの前記電子機器本体側に、半円形断面を有するリング状凸部が形成され、リング状凸部の先端部が前記電子機器本体と接触するようになっていることを特徴とするマウント。
【請求項２】
前記環状本体の前記鏡筒と結合される他端部には、内方に延び出る環状縁部が形成され、該縁部を介して固定部材により前記鏡筒に固定されることを特徴とする請求項１に記載のマウント。
【請求項３】
前記環状本体の一端部には、前記電子機器本体に回転可能にスイベル結合する円筒座が形成されている請求項１に記載のマウント。
【請求項４】
前記フランジの前記機器本体側に、先端部が半円形断面を有する環状リブが形成され、環状リブの先端部が前記電子機器本体と接触するようになっていることを特徴とする請求項１乃至３のいずれか一項に記載のマウント。
【請求項５】
内部に光電撮像モジュールが内蔵された鏡筒であって、
請求項１乃至４のいずれか一項に記載されたマウントを介し、電子機器の機器本体に電気的に接続された状態で前記機器本体に対して回転可能かつ内部を密閉するようにして、前記機器本体に装着されるようになっていることを特徴とする鏡筒。
【請求項６】
請求項１乃至請求項４のいずれか一項に記載されたマウントと、
前記マウントを回転可能に取り付けられる電気機器本体と、
前記マウントと固定される鏡筒であって、マウントを介し、回転可能かつ内部を密閉するようにして前記機器本体に装着される鏡筒と、備えたことを特徴とする電子機器。
【考案の詳細な説明】
【技術分野】
【０００１】
本考案は、カメラ、鏡筒などをそなえたカメラ機能付電子機器等に関する。
【背景技術】
【０００２】
図４は、従来の防塵防水鏡筒をそなえたカメラ機能付電子機器１０の局部を概略示す縦断面図である。１１は、例えば携帯電話、デジタルカメラ、ＰＤＡなどの電子機器１０の機器本体を示し、鏡筒１２を取付けるための装着孔１１２が設けられている。鏡筒１２には、光電撮像モジュール１２２が内蔵されており、本体１１と一体なマウント１３を介して本体１１に搭載され、本体１１内からの接続ワイヤ１１３を介して図示しない駆動手段と電気的に接続されている。マウント１３は防塵防水のための第１のシールリング１５を介してねじにより鏡筒１２に取付けられ、また、本体１１との間に第２のシールリング１４が周設されている。図示は略したが、駆動手段により鏡筒１２のレンズを対象物に向かせるよう鏡筒１２が回転され、撮像が行われる。
【考案の開示】
【考案が解決しようとする課題】
【０００３】
この構成においては、本体１１とマウント１３の間には第２のシールリング１４が設けられ、防塵防水性を高めようとするが、鏡筒１２（マウント１３）と本体１１間の摩擦が大きくなり、鏡筒１２の回転操作性が悪くなり、本体１１に対する第２のシールリング１４の摩耗も大きい。
【０００４】
本考案は、前記問題点に鑑みてなされたものであり、シールリングの摩耗を少なくすると共に、鏡筒の回転操作性を良好にすることができる電子機器を提供することを目的とする。
【課題を解決するための手段】
【０００５】
前記目的を達成すべく、本考案は、電子機器の機器本体と、前記機器本体に装着される鏡筒と、の間を密封するためのマウントであって、一端部において前記電子機器本体に回転可能に取付けられる環状本体を有し、前記環状本体の外周面にフランジが突出形成され、前記フランジの前記鏡筒側の面に第１のシールリングが気密に設けられ、前記フランジの前記電子機器本体側の面に第２のシールリングが気密に設けられ、前記第２のシールリングの前記電子機器本体側に、半円形断面を有するリング状凸部が形成され、リング状凸部の先端部が前記電子機器本体と接触するようになっていることを特徴とする。
【０００６】
前記構成においては、好ましくは、前記環状本体の前記鏡筒と結合される他端部には、内方に延び出る環状縁部が形成され、該縁部を介して固定部材により前記鏡筒に固定される。
【０００７】
前記構成においては、好ましくは、前記環状本体の一端部には、前記電子機器本体に回転可能にスイベル結合する円筒座が形成されている。
【０００８】
前記構成においては、好ましくは、前記フランジの前記機器本体側に、先端部が半円形断面を有する環状リブが形成され、環状リブの先端部が前記電子機器本体と接触するようになっている。
【０００９】
また、本考案は、内部に光電撮像モジュールが内蔵された鏡筒であって、上述のマウントを介し、電子機器の機器本体に電気的に接続された状態で前記機器本体に対して回転可能かつ内部を密閉するようにして、前記機器本体に装着されるようになっていることを特徴とする鏡筒を提供しようとする。
【００１０】
また、本考案は、上述のマウントと、前記マウントを回転可能に取り付けられる電気機器本体と、前記マウントと固定される鏡筒であって、マウントを介し、回転可能かつ内部を密閉するようにして前記機器本体に装着される鏡筒と、備えたことを特徴とする電子機器を提供しようとする。
【考案の効果】
【００１１】
本考案のマウントの構造によれば、シールリングの先端が半円形断面をした凸部により、電子機器本体と曲面によって気密に接触しながら回転されるので、接触面積を小さくし、電子機器本体との間の摩擦力を低減することができ、良好な回転操作性が得られ、シールリングの摩耗の低減も図ることができる。
【考案を実施するための最良の形態】
【００１２】
以下、本考案の一実施例について、添付図面を参照しつつ説明する。図１ないし図３は、本考案の実施例である電子機器の構成を示し、図１は全体立体図、図２は同要部の分解立体図、図３は、同要部の縦断面図である。図示の如く、電子機器１は電子機器本体２と、鏡筒３、マウント４とをそなえている。電子機器１は、例えばＰＤＡ、携帯電話、デジタルカメラなどのいずれかである。
【００１３】
図１に示すように、実施例の電子機器１は、機器本体２がほぼ直方体を呈し、図２の如く該機器本体２の上端面に装着穴２２が設けられており、機器本体２の内部に図示しない制御機構が設けられ、鏡筒３が回転可能に装着され、電気接続ライン（ワイヤ）２３を介して機器本体２の内部と電気的に接続されている。
【００１４】
鏡筒３は、符号で明示しないレンズを保持しており、図３に示すように内部に光電撮像モジュール３２が設けられている。鏡筒３の機器本体２側の端面には、環状凹溝３３が設けられている。
【００１５】
図２、図３に示すように、マウント４が、鏡筒３と機器本体２との間に防塵防水のために鏡筒３に気密に一体装着される。マウント４は、略円筒状からなる環状本体４０を備え、環状本体４０は、その一端部４ａにおいて、電子機器本体２に回転可能に取付けられる。また、環状本体４０の一端部４ａには電子機器本体２にスイベル結合することができる円筒座４１が形成される。環状本体４０の外周面にはフランジ４２が突出形成されている。
【００１６】
該フランジ４２の鏡筒３側の面（鏡筒３へ向いた側面）４２１には第１のシールリング４３が気密に設けられ（密閉された状態で設けられ）、該フランジ４２の電子機器本体２の面（電子機器本体２へ向いた側面）４２２には第２のシールリング４４が気密に設けられている（密閉された状態で設けられている）。この例においては、鏡筒３の環状凹溝３３に対応した輪郭を有するとともに環状凹溝３３内に嵌入されるリング状リブ４３２が、第１のシールリング４３の上端面４３１から突出するようにして形成され、マウント４が鏡筒３に結合されるときの密封性を高めることができる。また、第２のシールリング４４の電子機器本体２へ向いた側面４４１には、断面が半円形となっているリング状凸部４４２が形成されており、リング状凸部４４２は、その先端部の曲面で、電子機器本体２と接触するようになっている。これにより、機器本体２との接触面積を少なくし、摩擦を大幅に低減することができる。なお、リング状凸部４４２の機器本体２との接触摩擦を軽減し、寿命を少しでも長く保つようマウント４の円筒座４１の外周面と第２のシールリング４４の間に、フランジ４２の側面４２２の先端断面が半円形にされた環状リブ４２４が機器本体２と曲面で接触されるよう突出形成されている。
【００１７】
また、この例においては、マウント４の環状本体４０の他端部４ｂの内側に縁部４２３が環状に突出し、該縁部４２３を介して複数のねじなどの固定部材４５、４５により鏡筒３に固定される。
【００１８】
この例においては、マウント４は、ハードゴムなどのプラスチックを用いて成形され、第１のシールリング４３と第２のシールリング４４は、好ましくは弾性変形可能なソフトゴムを用いて形成される。こうすることにより、射出成形工程において、マウント４とシールリング４３、４４とを一体に成形することができ、従来の鏡筒とシールリングの組立工数よりも少なくて済み、組立の手間を低減することができる。
【００１９】
以上の構造により、シールリング４４は電子機器本体２と凸部４４２の曲面先端と気密に接触するよう形成されることにより、マウント４と機器本体２との間の気密を保ちながら回転できるので、マウント４の機器本体２との接触面積を小さくし、電子機器本体２との間の摩擦を低減することができ、良好な回転操作性が得られ、シールリング４４の摩耗をも軽減させることができる。また、環状リブ４２４はフランジ４２の側面４２２から機器本体２と曲面により接触されるよう先端が半円形断面になるよう突出形成されているため、鏡筒３の回転操作性を損わずに、リング状凸部４４２の機器本体２と滑り接触の摩擦を軽減し寿命を長く保つことができる。
【産業上の利用可能性】
【００２０】
本考案の構成によれば、シールリングの摩耗を少なくすると共に、鏡筒の回転操作性を良好にすることができる。
【図面の簡単な説明】
【００２１】
【図１】本考案の実施例である電子機器の全体立体図である。
【図２】同電子機器の要部の分解立体図である。
【図３】同要部の縦断面図である。
【図４】従来の電子機器の要部断面図である。
【符号の説明】
【００２２】
１  電子機器
２  電子機器本体
２２  装着穴
２３  電気接続ライン（ワイヤ）
３  鏡筒
３２  光電撮像モジュール
３３  環状凹溝
４  マウント
４ａ  一端部
４ｂ  他端部
４０  環状本体
４１  円筒座
４２  フランジ
４２１、４２２  側面
４２３  縁部
４２４  環状リブ
４３  第１のシールリング
４３１  上端面
４３２  リング状リブ
４４  第２のシールリング
４４１  側面
４４２  リング状凸部
４５  固定部材
【図１】
0003119591.tif 000003
【図２】
0003119591.tif 000004
【図３】
0003119591.tif 000005
【図４】
0003119591.tif 000006